(57)【特許請求の範囲】
【請求項１】
シート本体の水平長さ方向での一端に第１接続部が取付けられ、他端に第２接続部が取付けられ、複数枚をそれぞれ第１接続部と第２接続部の係合により連結し、所定領域を囲むように地中へ略鉛直に打ち込むことで前記領域を遮水的に閉鎖する遮水シートにおいて、
前記第１接続部と第２接続部の少なくともいずれか一方が、前記シート本体の水平長さ方向に対して直角に取付けられていることを特徴とするコーナー部用の遮水シート。
【請求項２】
前記第１接続部と第２接続部の少なくとも一方が、前記シート本体に対して補助シートを介して取付けられている請求項１記載のコーナー部用の遮水シート。
【請求項３】
前記第１接続部と第２接続部の少なくとも一方が、前記シート本体の水平長さ方向に対して直角に折り曲げた端部に対して取付けられ、該端部の折り曲げ状態が、シート本体に取付けた補助シートにより保持されている請求項１記載のコーナー部用の遮水シート。
【発明の詳細な説明】
【０００１】
【発明の属する技術分野】
この発明は、例えば廃棄物処分場等における汚染水の拡散を防止するための遮水技術に関し、特に汚染水などの拡散を防止するための鉛直遮水構造に用いられる遮水シートに関する。
【０００２】
【従来の技術】
廃棄物処分場などでは、そこから漏れ出す汚染水の拡散を防止するために、鉛直遮水が用いられる。鉛直遮水は、廃棄物処分場の周囲を囲むようにし、且つ粘性土質の不透水層まで達するようにして遮水材を地中に立設する方式である。この鉛直遮水方式で用いる遮水材の代表的な一つとして合成樹脂製の遮水シートがある（参考技術として、特公平６−１１９９４号参照）。この種の遮水シートはそれぞれ水平長さ方向での両端部に雄型接続部と雌型接続部が取付けられ、複数枚の遮水シートを雄型接続部と雌型接続部との係合により相互に連結して所定領域を取り囲むようになっている。
【０００３】
【発明が解決しようとする課題】
しかしながら、このような従来の技術にあっては、複数の遮水シートを水平長さ方向に連結しながら所定領域を取り囲む構造のため、連結した遮水シートの向きを変更するコーナー部では、遮水シートの柔らかさを利用して段階的に少しずつ曲げられる。そのため、どうしても大きく湾曲したコーナー部になり、シャープなコーナー部を得ることができなった。従って、四角い廃棄物処分場を取り囲むような場合も、処分場から離れた外側位置を湾曲した状態で大きく取り囲むことになるため、遮水シートの経路が長くなり、その分、遮水シートの枚数を多く必要とすると共に、作業量も増えることになる。また、地盤の状態などにより、遮水シートを打ち込む経路中において、部分的に迂回したいような領域があるような場合も、大きく湾曲した状態で迂回しなければならなため不利である。
【０００４】
この発明は、このような従来の技術に着目してなされたものであり、シャープなコーナー部が得られる遮水シートを提供するものである。
【０００５】
【課題を解決するための手段】
この発明に係る遮水シートは、シート本体の水平長さ方向での一端に第１接続部が取付けられ、他端に第２接続部が取付けられ、複数枚をそれぞれ第１接続部と第２接続部の係合により連結し、所定領域を囲むように地中へ略鉛直に打ち込むことで前記領域を遮水的に閉鎖する遮水シートにおいて、前記第１接続部と第２接続部の少なくともいずれか一方が、シート本体の水平長さ方向に対して所定の角度で取付けられている。
【０００６】
この発明によれば、第１接続部と第２接続部の少なくともいずれか一方が、シート本体の水平長さ方向に対して所定の角度で取付けられているため、この遮水シートを複数の連結された遮水シートの中に配置することにより、その角度に応じたシャープなコーナー部が得られる。第１接続部と第２接続部は、通常はいずれか一方だけが、所定の角度で取付けられるものであるが、他方側が角度をもっていることを妨げるものではない。取付角度は廃棄物処分場のコーナー部に合わせて任意角度が選択される。第１接続部と第２接続部のいずれか一方だけを所定角度で取付ける場合は、その角度を直角（９０度）にすることにより、直角用のコーナー部材が得られる。
【０００７】
角度をもたせる接続部は、シート本体に直接取付けても良いが、補助シートを介して取付けても良い。補助シートを介して取付けた方が、補助シートの柔らかさにより取付角度の微調整が容易になる。また、シート本体の端部を所定角度に折り曲げ、その端部に接続部を取付けるようにしても良い。その場合、シート本体の端部を予め曲がった状態で成形しても良いし、面状に成形した後に折り曲げ、その折り曲げ状態を補助シートの追加により保持するようにしても良い。後者の場合は、シート本体の端部を接続部ごと折り曲げて、補助シートを追加するだけなので、従来の遮水シートを利用することができる。
【０００８】
【発明の実施の形態】
この発明の好適な実施形態を図面に基づいて説明する。
【０００９】
図１〜図４は、この発明の第１実施形態を示す図である。図１及び図３は、今までの一般的な遮水シート１を示しており、この遮水シート１もコーナー部以外の部分では使用される。この遮水シート１は、上下方向に長い長方形状のシート本体２を有している（尚、図３等の斜視図では、上下長さを縮めて示してある）。このシート本体２はポリエチレン樹脂の押出成形品である。
【００１０】
このシート本体２の水平長さ方向での各端部には、第１接続部Ａと第２接続部Ｂがそれぞれ溶着されている。第１接続部Ａは先端がヤジリ状の断面形状で、第２接続部Ｂは第１接続部Ａの先端に相応する溝部を有する断面形状である。第２接続部Ｂの溝部の底部には、膨潤層３が一体的に備えられている。この膨潤層３は水を含んで膨張し、互いに係合された第１接続部Ａと第２接続部Ｂとの隙間を塞ぐ働きをする。膨潤層３は一体でなく、棒状のものを備えても良く、第１接続部Ａの先端にも膨潤層を一体的に備えても良い。このような遮水シート１は、それぞれの第１接続部Ａと第２接続部Ｂを介して図３に示すように接続して用いる。
【００１１】
次に、図２及び図４に示されているのが、この発明に係る遮水シート４である。この遮水シート４では、第１接続部Ａ′をシート本体２に対して直角にして、その端末をシート本体２に溶着している。従って、遮水シート１、４を、廃棄物処分場における鉛直遮水構造に用いる場合、その直線部では、図３に示すように、第１接続部Ａと第２接続部Ｂとを係合させて、遮水シート１同士を連結させて真っ直ぐな遮水壁を形成すれば良い。そして、遮水シート１の向きを変更する箇所においては、本実施形態の遮水シート４を用いることにより、第１接続部Ａ′の角度（９０度）に応じたシャープなコーナー部が得られる。従って、四角い廃棄物処分場を取り囲む場合も、遮廃棄物処分場に近い位置を処分場に沿った形で取り囲むことができる。そのため、遮水シート１、４の経路も短くなり、その分、遮水シート１の枚数を少なくできると共に作業量を減らせることができる。
【００１２】
図５は、この発明の第２実施形態を示す図である。この第２実施形態に係る遮水シート５では、第１接続部Ａ′を直接シート本体２に取付けず、柔らかい補助シート６を介して、シート本体２に取付けた。このようにすれば、補助シート６の柔らかさにより第１接続部Ａ′の取付角度の微調整が容易になる。
【００１３】
図６は、この発明の第３実施形態を示す図である。この第３実施形態に係る遮水シート７では、第１接続部Ａ′を、シート本体２に取付けた２枚の補助シート８、９により挟んだ状態で取付けた。しかも、２枚の補助シート８、９の端部８ａ、９ａは折り曲げた状態で、シート本体２に溶着した。このように、第１接続部Ａ′を２枚の補助シート８、９で挟み、且つ各補助シート８、９の端部８ａ、９ａを折り曲げてシート本体２に溶着したため、第１接続部Ａ′の取付強度が向上する。
【００１４】
図７は、この発明の第４実施形態を示す図である。この第４実施形態に係る遮水シート１０では、シート本体２の端部２ａを直角に折り曲げると共に、その折り曲げた端部２ａと、直角に折り曲げた第１補助シート１１とで、第１接続部Ａ′を挟んで取付ける共に、シート本体２と第１補助シート１１に平らな第２補助シート１２を取付け、シート本体２の端部２ａと第１補助シート１１とを保持した。また、第１補助シート１１と第２補助シート１２とを金具１３により結合すると共に、第２接続部Ｂとシート本体２も金具１４により結合した。この第４実施形態によれば、シート本体２の端部２ａを第１接続部Ａごと折り曲げて、第１補助シート１１及び第２補助シート１２を追加するだけなので、従来の遮水シート１を利用して製作することができる。
【００１５】
【発明の効果】
この発明によれば、第１接続部と第２接続部のいずれか一方が、シート本体の水平長さ方向に対して所定の角度で取付けられているため、この遮水シートを複数の連結された遮水シートの中に配置することにより、その角度に応じたシャープなコーナー部が得られる。
【図面の簡単な説明】
【図１】一般の遮水シートを示す平面図。
【図２】この発明の第１実施形態に係る遮水シートを示す断面図。
【図３】一般の遮水シートの連結状態を示す斜視図。
【図４】第１実施形態に係る遮水シートの連結状態を示す斜視図。
【図５】第２実施形態に係る遮水シートを示す断面図。
【図６】第３実施形態に係る遮水シートを示す断面図。
【図７】第４実施形態に係る遮水シートを示す断面図。
【符号の説明】
１  遮水シート（一般）
４、５、７、１０  遮水シート（本発明）
２  シート本体
６、８、９、１１、１２  補助シート
Ａ、Ａ′  第１接続部
Ｂ  第２接続部
【図１】
0004043664.tif 000002
【図２】
0004043664.tif 000003
【図３】
0004043664.tif 000004
【図４】
0004043664.tif 000005
【図５】
0004043664.tif 000006
【図６】
0004043664.tif 000007
【図７】
0004043664.tif 000008